(57)【特許請求の範囲】
【請求項１】
画像形成装置本体と、前記画像形成装置の上部に接合して、または画像形成装置本体と分離して設置可能なスキャナ装置と、前記画像形成装置の上部にスキャナ装置を接合するときに使用する接合部材と、前記画像形成装置上部に前記スキャナ装置を設置しないとき前記画像形成装置の上部を覆うカバー部材とを備えてなる画像形成装置において、  前記カバー部材は、前記スキャナ装置を分離して設置するとき前記接合部材を格納する格納部を備えたことを特徴とする画像形成装置。
【請求項２】
前記画像形成装置は画像形成装置本体の上部に排紙空間を配置した胴内排紙型であり、前記カバー部材は前記画像形成装置の上部において、前記排紙空間以外の個所を覆う全体略Ｌ字形状をなすものであることを特徴とする請求項１の画像形成装置。
【請求項３】
前記接合部材は、前記Ｌ字部材と、他の接合部材を含むことを特徴とする請求項２の画像形成装置。
【請求項４】
前記カバー部材または画像形成装置本体の上部には、前記接合部材を内部に固定する固定手段を備えることを特徴とする請求項１ないし３の何れかに記載の画像形成装置。
【請求項５】
前記カバー部材または画像形成装置本体の上部には、接合部材の配置個所にその表示がされていることを特徴とする請求項１ないし４の何れかに記載の画像形成装置。 
【発明の詳細な説明】
【技術分野】
【０００１】
本発明は画像形成装置に係り、特に画像形成装置本体とスキャナ装置とを備え、画像形成装置の上部にスキャナ装置を接合部材で接合して設置する接合状態と、前記接合部材を使用せず、装置上部にカバー部材を配置した画像形成装置本体とスキャナ装置とを分離した状態で設置する分離状態に設置可能にした画像形装置に関する。
【背景技術】
【０００２】
画像形成装置として、画像形成装置本体とスキャナ装置とを備え、スキャナ、コピー等とＦＡＸ機能を具備した複合機がある。このような画像形成装置では、画像形成装置の上にスキャナ装置を配置して一体型の画像形成装置として設置する場合の他、画像形成装置本体と、スキャナ装置とを別体として配置する場合がある。
【０００３】
画像形成装置本体の上にスキャナ装置を配置すると、スキャナ装置の配置位置が床面から高いものとなり、高い位置でスキャナ装置を操作できない操作者、例えば車いすを使用している操作者には使用しにくい状態となる。そこで、スキャナ装置を画像形成装置のうえではなく、別の低い位置に配置し、そのような作業者でもスキャナ装置をし易いようにする。
【０００４】
そして、このような画像形成装置は、出荷時においては、画像形成装置本体と、スキャナ装置とを組み立てることなく梱包し、設置個所において顧客の要望に応じて画像形成装置本体とスキャナ装置を一体として組み立てたり、画像形成装置本体とスキャナ装置とを別体に配置したりする。
【０００５】
そのため、出荷時においては、画像形成装置の梱包中には、画像形成装置本体とスキャナ装置とを一体に組み付ける態様の場合使用するスキャナ装置と画像形成装置との接続具、接続ケーブルなどが同包されている。また、このような画像形成装置の梱包中には、画像形成装置本体とスキャナ装置とを別体に配置する態様のとき、画像形成装置本体の上部を覆うカバー部材も同包されている。即ち、画像形形成装置本体の上部は、スキャナ装置を取り付けられて覆われることから、スキャナ装置を取り付けない状態では、画像形成装置の内部が露出されることになるから、そのような状態を防止する必要があるためである。
【０００６】
このようなスキャナ、コピー等とＦＡＸを具備した複合機については特許文献１に記載がある。
【特許文献１】特開２００５−０９４７０６号公報
【発明の開示】
【発明が解決しようとする課題】
【０００７】
ところで、上述したように、画像形成装置本体とスキャナ装置とを別体として配置する場合には、同包されている接続具や短い接続ケーブルは使用されないこととなる。このような接続具や接続ケーブルは、梱包装置とともに返送することもできるが、返送時に梱包装置に附属させる手間がいる。また、一旦別体として配置した画像形成装置本体とスキャナ装置とを一体にしたい場合には、改めて接続具を準備しなければならず面倒である。
【０００８】
そこで本発明は、画像形成装置本体とスキャナ装置とを別体として配置する場合であっても使用しない接続具の処理を容易に行うことができる画像形成装置を提供することを目的とする。
【課題を解決するための手段】
【０００９】
請求項１の発明は、画像形成装置本体と、前記画像形成装置の上部に接合して、または画像形成装置本体と分離して設置可能なスキャナ装置と、前記画像形成装置の上部にスキャナ装置を接合するときに使用する接合部材と、前記画像形成装置上部に前記スキャナ装置を設置しないとき前記画像形成装置の上部を覆うカバー部材とを備えてなる画像形成装置において、前記カバー部材は、前記スキャナ装置を分離して設置するとき前記接合部材を格納する格納部を備えたことを特徴とする画像形成装置である。
【００１０】
請求項２の発明は、請求項１の画像形成装置において、前記画像形成装置は画像形成装置本体の上部に排紙空間を配置した胴内排紙型であり、前記カバー部材は前記画像形成装置の上部において、前記排紙空間以外の個所を覆う全体略Ｌ字形状をなすものであることを特徴とする。
【００１１】
請求項３の発明は、請求項２の画像形成装置において、前記接合部材は、前記Ｌ字部材と、他の接合部材を含むことを特徴とする。
【００１２】
請求項４の発明は、請求項１ないし３の何れかに記載の画像形成装置において、前記カバー部材または画像形成装置本体の上部には、前記接合部材を内部に固定する固定手段を備えることを特徴とする。
【００１３】
請求項５の発明は、請求項１ないし４の何れかに記載の画像形成装置において、前記カバー部材または画像形成装置本体の上部には、接合部材の配置個所にその表示がされていることを特徴とする。
【発明の効果】
【００１６】
本発明によれば、画像形成装置本体とスキャナ装置とを一体として配置する場合であっても接続具を画像形成装置本体の上部に設置するカバー部材内に格納しておくことができ、接続部処理を容易に行うことができるという効果がある。
【発明を実施するための最良の形態】
【００１７】
以下本発明を実施するための最良の形態としての実施例を図面に基づいて説明する。
【実施例】
【００１８】
本例に係る画像形成装置１００は、図１ないし図１２に示すように、画像形成装置本体２００、スキャナ装置３００、画像形成装置本体２００とスキャナ装置３００とを接合する２つの接合部材４１０，４２０及び画像形成装置本体２００とスキャナ装置３００とを別体に組み立てるときに画像形成装置本体２００の上部に配置するカバー部材５００を備えている。
【００１９】
本例では、画像形成装置１００は画像形成装置本体２００とスキャナ装置３００の間に印刷処理された用紙が排出される排紙部２５０を形成した胴内排紙型のものである。本例では、画像形成装置本体２００は画像形成部２１０、給紙部２２０，２３０を備え、排紙部２５０に隣接して前記接合部材４１０を挿入する接合部材取付部２６０が垂直に形成されている。また、画像形成装置本体２００の上面は、スキャナ装置３００を取り付けない状態で排紙部２５０の２辺を臨む２つの面２１１ａ，２１１ｂを備えて略Ｌ字形となる。
【００２０】
スキャナ装置３００は、スキャナ本体３１０の他操作パネル３２０が配置される。本例では、スキャナ装置３００は画像形成装置本体２００の上部に接合され画像形成装置本体２００と一体配置とした状態と、画像形成装置本体２００と別体に配置する別体配置とした状態とのいずれかの状態に組み付けられる。
【００２１】
本例では、画像形成装置本体２００に接合部材４１０と接合部材４２０が取付け得られている。接合部材４１０は図１ないし図４に示すように、前記接合部材取付部２６０に垂直に配置される垂下部４１１とこの垂下部４１１の上端から直角方向に伸び、前記画像形成装置本体２００のＬ字型上面の一方の面２１１ａに接合される水平配置部４１３及びこの水平配置部４１３から上方に延設されるスキャナ接合部４１２とから形成されている。また接合部材４２０は前記前記画像形成装置本体２００のＬ字型上面の他方の面２１１ｂに接合される水平部４２１と、この水平部４２１から上方に延設され、前記スキャナ装置３００に接合される垂直部４２２とからなる。本例では、搬送時において、接合部材４２０は画像形成装置本体２００の接合部材取付部２６０内に配置され、接合部材４２０は画像形成装置本体２００の正面に取り付けられているものとする。
【００２２】
まず、画像形成装置本体２００とスキャナ装置３００とを一体に接合する場合について説明する。本例では、上述のように、画像形成装置本体２００の接合部材取付部２６０に接合部材４１０の垂下部４１１を挿入され、水平配置部４１３が画像形成装置本体２００の面２１１ａに接合されている。同様に画像形成装置本体２００の他の面２１１ｂに接合部材４２０の水平部４２１が接合されている。この状態でスキャナ装置３００を上方から画像形成装置本体２００に被せ、各接合部材４１０，４２０に接合する。そして、画像形成装置本体２００とスキャナ装置３００とをケーブルで接合して組み付けは終了する。
【００２３】
次に、画像形成装置本体２００とスキャナ装置３００とを別体に配置する場合について説明する。本例では、接合部材４２０が画像形成装置本体２００の接合部材取付部２６０に配置されているから、図５及び図６に示すように、接合部材取付部２６０から接合部材４２０の水平部４２１を取り外す。また、水平配置部４１３を面２１１ａから取り外す。そして図７及び図８に示すように、スキャナ接合部４１２を水平になるよう、かつ、接合部材４２０の上方に位置するように回転して配置する。
【００２４】
そして、図９及び図１１に示すように、接合部材４１０を接合部材４２０の上方に密着するように配置する。このとき４１０のスキャナ接合部４１２は接合部材４２０の上方に、スキャナ接合部４１２は画像形成部２１０の面２１１ａ上に配置される。そして画像形成装置本体２００の上面をカバー部材５００で覆う。このカバー部材５００は、前記画像形成装置本体２００の面２１１ａ，２１１ｂの形状と略同一形状をなし、内部に前記接合部材４１０，４２０の収納部が形成されている。即ち、カバー部材５００は画像形成装置本体２００と同一の合成樹脂素材で一体形成され、下方に開口を備えた略Ｌ字状の部材である。
【００２５】
画像形成部２１０の上面にカバー部材５００が取り付けられると、図１１及び図１２に示すように、カバー部材５００内に接合部材４１０，４２０が収納されるとともに、面２１１ａ、２１１ｂがカバー部材５００で覆われることになり、画像形成部２１０の上部には不必要な部材は現れることがなくなる。
【００２６】
本例では、前記面２１１ａ、２１１ｂには、接合部材４１０が移動しないように、固定手段とクリップや係合段部を係止手段を設けるようにしている他、接合部材４１０の格納位置に接合部材の格納姿勢を図示しておくものとしている。
【００２７】
そして、スキャナ装置３００を所定の図示していない基台上に配置し、画像形成装置本体２００に隣接して配置すると共にケーブルで電気的に接合する。これにより、車いすを使用した操作者等に画像形成装置を使用しやすくすることができる。
【００２８】
また、画像形成装置本体とスキャナ装置とを別体として配置する場合に同包されているが使用しない接続具や短い接続ケーブルをカバー部材内に収納しておくことができる他、一旦別体として配置した画像形成装置本体とスキャナ装置とを一体にしたい場合には、改めて接続具を準備することなく、カバー部材内から取り出して使用することができる。
【図面の簡単な説明】
【００２９】
【図１】実施例に係る画像形成装置を画像形成装置本体とスキャナ装置とを一体として組み付ける場合の分解斜視図である。
【図２】図１に示した画像形成装置の正面図である。
【図３】実施例に係る画像形成装置を画像形成装置本体とスキャナ装置とを一体として組み付ける場合の分解斜視図である。
【図４】図３に示した画像形成装置の正面図である。
【図５】実施例に係る画像形成装置を画像形成装置本体とスキャナ装置とを別体として組み付ける場合の分解斜視図である。
【図６】図５に示した画像形成装置の正面図である。
【図７】実施例に係る画像形成装置を画像形成装置本体とスキャナ装置とを別体として組み付ける場合の分解斜視図である。
【図８】図７に示した画像形成装置の正面図である。
【図９】実施例に係る画像形成装置を画像形成装置本体とスキャナ装置とを別体として組み付ける場合の分解斜視図である。
【図１０】図９に示した画像形成装置の正面図である。
【図１１】実施例に係る画像形成装置を画像形成装置本体とスキャナ装置とを別体として組み付ける場合の分解斜視図である。
【図１２】図１１に示した画像形成装置の正面図である。
【符号の説明】
【００３０】
１００・・・画像形成装置
２００・・・画像形成装置本体
２１０・・・画像形成部
２１１ａ・・・面
２１１ｂ・・・面
２２０，２３０・・・給紙部
２５０・・・排紙部
２６０・・・接合部材取付部
３００・・・スキャナ装置
３１０・・・スキャナ本体
３２０・・・他操作パネル
４１０，４２０・・・接合部材
４１２・・・スキャナ接合部
４１３・・・水平配置部
４２０・・・接合部材
４２１・・・水平部
４２２・・・垂直部
５００・・・カバー部材
【図１】
0004666307.tif 000002
【図２】
0004666307.tif 000003
【図３】
0004666307.tif 000004
【図４】
0004666307.tif 000005
【図５】
0004666307.tif 000006
【図６】
0004666307.tif 000007
【図７】
0004666307.tif 000008
【図８】
0004666307.tif 000009
【図９】
0004666307.tif 000010
【図１０】
0004666307.tif 000011
【図１１】
0004666307.tif 000012
【図１２】
0004666307.tif 000013